(57)【要約】【課題】煩雑な位置調整を要することなく容易に複数本のロープに給油でき、かつ給油量も適量とできるエレベータのワイヤロープ用給油装置の提供。【解決手段】複数本のワイヤロープ９全てを両側から挟み込むように対向させた一対の給油用ローラ１８と、この給油用ローラ１８を回動可能に支持するローラ支持手段１０と、給油用ローラ１８に油を補給する給油手段１１とを備えるとともに、給油手段１１は、給油用ローラ１８上方へ配置した複数個の給油穴を設けた給油パイプ１３を有して成る構成とし、煩雑な位置調整を要することなく複数本のワイヤロープ９を挟圧して給油できるものとした。【選択図】図１
2006290485.tif 000002
【特許請求の範囲】
【請求項１】
昇降体を懸架する複数本のワイヤロープに油を供給するエレベータのワイヤロープ用給油装置において、
前記複数本のワイヤロープ全てを両側から挟み込むように対向させた一対の給油用ローラと、この給油用ローラを回動可能に支持するローラ支持手段と、前記給油用ローラに油を補給する給油手段とを備えるとともに、前記給油手段は、前記給油用ローラ上方へ配置した複数個の給油穴を設けた給油パイプを有して成ることを特徴とするエレベータのワイヤロープ用給油装置。
【請求項２】
前記給油穴は、前記複数本のワイヤロープの間隔に合わせて前記給油パイプに穿設されることを特徴とする請求項１記載のエレベータのワイヤロープ用給油装置。
【請求項３】
前記一対の給油用ローラの少なくとも外周面を弾性部材で構成したことを特徴とするエレベータのワイヤロープ用給油装置。
【請求項４】
前記弾性部材の厚さ寸法を、少なくとも前記ワイヤロープの直径の半分以上に設定することを特徴とする請求項３記載のエレベータのワイヤロープ用給油装置。
【請求項５】
前記給油用ローラおよび前記給油パイプを、それぞれ前記ワイヤロープが巻回され前記ワイヤロープに駆動力を伝達するシーブとそらせ車との間に配置したことを特徴とする請求項１記載のエレベータのワイヤロープ用給油装置。
【請求項６】
前記一対の給油用ローラの垂直投影面内に、前記給油パイプを配置したことを特徴とする請求項１記載のエレベータのワイヤロープ用給油装置。
【請求項７】
前記給油手段は、前記ワイヤロープの速度に応じて補給する油の補給量を調整する給油調整手段を備えたことを特徴とする請求項１記載のエレベータのワイヤロープ用給油装置。
【請求項８】
前記給油パイプは、その中空部の端部が、前記給油パイプ先端に最も近い前記給油穴から、前記給油パイプの内径の半分の長さ寸法パイプ先端方向に離れた位置に設定されることを特徴とする請求項１記載のエレベータのワイヤロープ用給油装置。
【発明の詳細な説明】
【技術分野】
【０００１】
本発明は、昇降体を懸架するワイヤロープに油を供給するエレベータのワイヤロープ用給油装置に関する。
【背景技術】
【０００２】
従来のエレベータのワイヤロープ用給油装置を図１０〜図１２に示す。
【０００３】
図１０は従来のエレベータのワイヤロープ用給油装置の構成を示す側面図、図１１は従来のエレベータのワイヤロープ用給油装置の構成を示す正面図、図１２は油飛散防止兼油貯めケースを備えた従来のワイヤロープ用給油装置の構成を示す側面図である。
【０００４】
図において、２８はワイヤロープ９に当接させる一対の給油用ローラ、２９は一対の給油用ローラ２８を固定する一対のブラケット、２０は一対の給油用ローラ２８によりワイヤロープ９を挟み込むためのコイルバネ、２１は給油用ローラ２８を囲うように具備され、油飛散防止機能および油貯蔵機能を有する油飛散防止兼油貯めケースである。また、一対の給油用ローラ２８にはワイヤロープ９との当接面を多くするために丸溝が設けてある。
【０００５】
このように構成された従来のワイヤロープ用給油装置にあっては、ワイヤロープ９に当接する一対の油を含んだ給油用ローラ２８をブラケット２９に取付けた後、コイルバネ２０で連結し、ブラケット２９を機械室２のマシンベース３上にビスで固定する。これより、エレベータの稼働でワイヤロープ９が上下動することにより、給油用ローラ２８がワイヤロープ９との摩擦力により回転し、ワイヤロープ９に給油を行うものである。さらに、油が貯蔵可能な油飛散防止兼油貯めケース２１を設けることによって、給油用ローラ２８を油に漬けるようにして、給油用ローラ２８に定期的に給油をする必要がないようにしたものである(例えば、特許文献１参照)。
【特許文献１】特開２０００−８６１１６号公報(段落番号００１３〜００２２、図３、図４、図５)
【発明の開示】
【発明が解決しようとする課題】
【０００６】
しかしながら、前述した従来のワイヤロープ用給油装置では、複数本のワイヤロープ９の一本をそれぞれ一対の給油用ローラ２８で挟圧して給油する構成としているため、適切な位置でワイヤロープ９を把持するための位置調整作業が煩雑なものとなるという不都合があった。
【０００７】
また、給油用ローラ２８の外周面に油飛散防止兼油貯めケース２１内の油を付着させ、その油をワイヤロープ９に給油する構成であることから、油面の高さによっては油の過剰給油もしくは給油不足となる不都合があった。
【０００８】
本発明は、前述した従来技術における実状からなされたもので、その目的は、煩雑な位置調整を要することなく容易に複数本のロープに給油できるとともに、その給油量も適量とすることのできるエレベータのワイヤロープ用給油装置を提供することにある。
【課題を解決するための手段】
【０００９】
前記目的を達成するために、本発明は、昇降体を懸架する複数本のワイヤロープに油を供給するエレベータのワイヤロープ用給油装置において、前記複数本のワイヤロープ全てを両側から挟み込むように対向させた一対の給油用ローラと、この給油用ローラを回動可能に支持するローラ支持手段と、前記給油用ローラに油を補給する給油手段とを備えるとともに、前記給油手段は、前記給油用ローラ上方へ配置した複数個の給油穴を設けた給油パイプを有して成ることを特徴としている。
【００１０】
このように構成した本発明は、一対の給油用ローラで、複数本のワイヤロープ全てを両側から挟み込むことができるので、煩雑な位置調整を要することなく、複数本のワイヤロープを容易に挟圧して給油できる。また、給油用ローラ上方へ配置した複数個の給油穴を設けた給油パイプから給油用ローラに油を補給することから、一定量の油を給油用ローラへ補給することができ、ワイヤロープへの給油量を適量なものとすることができる。
【発明の効果】
【００１１】
本発明によれば、一対の給油用ローラで複数本のワイヤロープ全てを両側から挟み込むことにより、煩雑な位置調整を要することなく複数本のワイヤロープを挟圧して給油できることから、装置の設置を容易なものとして作業効率の向上を図ることができる。
【００１２】
また、給油用ローラ上方へ配置した複数個の給油穴を設けた給油パイプから給油用ローラに油を補給することにより、ワイヤロープへの給油量を適量なものとすることができ、したがって、ワイヤロープの延命化を図ることができる。
【発明を実施するための最良の形態】
【００１３】
以下、本発明に係るエレベータのワイヤロープ用給油装置の実施の形態を図に基づいて説明する。
【００１４】
図１は本発明であるエレベータのワイヤロープ用給油装置の一実施形態を示す概略構成図、図２はワイヤロープ用給油装置の概略平面図、図３はワイヤロープ、給油用ローラおよび給油パイプの位置関係を示す拡大図、図４はローラ支持手段の構成を示す分解側面図、図５はローラ支持手段の構成を示す分解側面図、図６はローラ支持手段に給油用ローラおよび給油パイプを取付けた状態を示す側面図、図７は給油用ローラと給油パイプの取付け状態を示す分解正面図、図８は給油パイプの構造を示す構造図、図９は給油パイプの他の構造を示す構造図である。
【００１５】
本実施形態のエレベータのワイヤロープ用給油装置は図１、２に示すように、複数本のワイヤロープ９全てを両側から挟み込むように対向させた一対の給油用ローラ１８と、この給油用ローラ１８を回動可能に支持するローラ支持手段１０と、給油用ローラ１８に油を補給する給油手段１１と備えて構成されている。
【００１６】
また、給油手段１１は、給油用ローラ１８の上方へ配置されるとともに、複数本のワイヤロープ９のロープ間隔に合わせて給油するための後述する複数個の給油穴１３ａが穿設された給油パイプ１３と、この給油パイプ１３に油を供給するための給油ポンプ１２と、給油ポンプ１２と給油パイプ１３を接続するための給油ホース１４とを有している。
【００１７】
さらに、給油パイプ１３は、給油用ローラ１８上に位置するようローラ支持手段１０を介して固定されるとともに、給油用ローラ１８および給油パイプ１３は、それぞれワイヤロープ９が巻回されワイヤロープ９に駆動力を伝達するシーブ７とそらせ車８との間に配置されている。そして、給油用ローラ１８はワイヤロープ９の摩擦力によりワイヤロープ９の移動に伴い同期して回転するように適正な位置に配置されている。
【００１８】
さらにまた、一対の給油用ローラ１８は図３に示すように、その外周面が弾性部材１８ａ、例えば、スポンジ、ゴム等で構成されているとともに、弾性部材１８ａの厚さ寸法ｈは、少なくともワイヤロープ９の直径ｒの半分以上に設定されている。
【００１９】
また、給油パイプ１３には図３に示すように、給油穴１３ａが給油用ローラ１８の垂直投影面内となるように穿設されており、油１３ｂが給油用ローラ１８上に垂下するようになっている。
【００２０】
さらに、給油手段１１は図１に示すように、ワイヤロープ９の速度に応じて補給する油の補給量を調整する給油調整手段１５を備えている。この給油調整手段１５は、例えばロープ本数とロープ速度に応じて単位時間流量を調整するバルブ式調整コックとすることができる。
【００２１】
さらにまた、給油パイプ１３は図８に示すように、その中空部の端部１３ｅを、給油パイプ先端に最も近い給油穴１３ａ１から、給油パイプ１３の内径の半分の長さ寸法パイプ先端方向に離れた位置に設定するため、パイプ内径にあわせた詰め物部材１３ｃが挿入されている。
【００２２】
また、ローラ支持手段１０は図１に示すように、シーブ７とそらせ車８との間に給油用ローラ１８が位置するようにマシンベース３に固定治具３０により固定さているとともに、ロープ角度に合わせて対向する一対の給油用ローラ１８と給油パイプ１３の位置を調整可能としてある。すなわち、ローラ支持手段１０は図４〜図６に示すように、長孔１００ａを有するマシンベース固定ブラケット１０ａと、長孔１００ｂを有するローラ固定ブラケット１０ｂと、長孔１００ａの任意の位置および長孔１００ｂの任意の位置とを締結する締結具１０ｃとから構成されており、締結具１０ｃの固定位置を調整することで、異なるワイヤロープ９の傾斜角度に対しても一対の給油用ローラ１８の中心を結ぶ直線が、ワイヤロープ９にほぼ直角に交わるように角度を調整できるようにしている。なお、ローラ固定ブラケット１０ｂは図７に示すように、給油用ローラ１８を回動可能に支持するとともに、給油パイプ１３の両端を給油用ローラ１８の上方にて支持するようになっている。
【００２３】
本実施形態によるワイヤロープ９への給油作業は、ワイヤロープ用給油装置を設置した状態で、エレベータを運転させて自動で行うもので、給油調整手段１５によりロープ速度に合わせて必要量を塗付できるように油量を調整し、ロープ位置に合うように穿設された複数個のパイプ穴１３ａから給油用ローラ１８に油を供給する。そして、油の付いた給油用ローラ１８がワイヤロープ９の移動に伴いロープ速度に合わせて回転することで、複数本のワイヤロープ９に同時に油を塗布するようにしている。
【００２４】
このように構成された本実施形態によれば、一対の給油用ローラ１８で複数本のワイヤロープ９全てを両側から挟み込むことができるので、煩雑な位置調整を要することなく複数本のワイヤロープ９を挟圧して給油できることから、装置の設置を容易なものとして作業効率の向上を図ることができる。
【００２５】
また、給油用ローラ１８上方へ配置した複数個の給油穴１３ａを設けた給油パイプ１３から給油用ローラ１８に油を補給することにより、ワイヤロープ９への給油量を適量なものとすることができ、したがって、ワイヤロープ９の延命化を図ることができる。
【００２６】
さらに、給油用ローラ１８の外周面を弾性部材１８ａで構成するとともに、弾性部材１８ａの厚さ寸法ｈを、少なくともワイヤロープ９の直径ｒの半分以上に設定することにより、給油用ローラ１８のワイヤロープ９への接触面積を十分に確保し、適量の給油を円滑に行うことができる。
【００２７】
さらにまた、ワイヤロープ９の走行挙動が比較的安定するシーブ７とそらせ車８との間に給油用ローラ１８を配置することにより、円滑な給油作業を実現することができる。
【００２８】
また、給油パイプ１３の給油穴１３ａを給油用ローラ１８の垂直投影面内へ配置することにより、油１３ｂが給油用ローラ１８上に確実に垂下するようにし、機械室床あるいは他の機器に油が垂れることを防ぐことができる。
【００２９】
さらに、ワイヤロープ９の速度に応じて補給する油の補給量を調整する給油調整手段１５を備えることにより、ワイヤロープ９への給油量を適量なものとすることができる。
【００３０】
さらにまた、給油パイプ１３の中空部は、その端部１３ｅが詰め物部材１３ｃにより、給油パイプ先端に最も近い給油穴１３ａ１から、給油パイプ１３の内径の半分の長さ寸法パイプ先端方向にいった位置に設定されることから、給油パイプ１３先端の空隙をなくして先端部にエアーが溜まることを防ぎ、これによって、エアー溜りがある場合に発生する圧力変動による不均一な給油を防止し、一定量の油を安定して給油することができる。
【００３１】
また、ローラ支持手段１０は、ロープ角度に合わせて対向する一対の給油用ローラ１８と給油パイプ１３の位置を調整可能であることから、シーブ７とそらせ車８間のロープ角度が異なる機種にも対応することができる。
【００３２】
なお、本実施形態では、給油パイプ１３には詰め物部材１３ｃを挿入することにより、給油パイプ中空部の端部１３ｅを、給油パイプ先端に最も近い給油穴１３ａ１から、給油パイプ１３の内径の半分の長さ寸法パイプ先端方向に離れた位置に設定しているが、本発明はこれに限らず図９に示すように、給油パイプ１３の端部を、給油パイプ先端に最も近い給油穴１３ａ１から、給油パイプ１３の内径の半分の長さ寸法パイプ先端方向に離れた位置近傍に設定するとともに、給油パイプ１３端部に延長部材１３ｄを接続することにより、ローラ支持手段１０のローラ固定ブラケット１０ｂに係合するために必要な長さを確保するようにしてもよい。
【図面の簡単な説明】
【００３３】
【図１】本発明であるエレベータのワイヤロープ用給油装置の一実施形態を示す概略構成図である。
【図２】ワイヤロープ用給油装置の概略平面図である。
【図３】ワイヤロープ、給油用ローラおよび給油パイプの位置関係を示す拡大図である。
【図４】ローラ支持手段の構成を示す分解側面図である。
【図５】ローラ支持手段の構成を示す分解側面図である。
【図６】ローラ支持手段に給油用ローラおよび給油パイプを取付けた状態を示す側面図である。
【図７】給油用ローラと給油パイプの取付け状態を示す分解正面図である。
【図８】給油パイプの構造を示す構造図である。
【図９】給油パイプの他の構造を示す構造図である。
【図１０】従来のエレベータのワイヤロープ用給油装置の構成を示す側面図である。
【図１１】従来のエレベータのワイヤロープ用給油装置の構成を示す正面図である。
【図１２】油飛散防止兼油貯めケースを備えた従来のワイヤロープ用給油装置の構成を示す側面図である。
【符号の説明】
【００３４】
３  マシンベース
７  シーブ
８  そらせ車
９  ワイヤロープ
１０  ローラ支持手段
１１  給油手段
１２  給油ポンプ
１３  給油パイプ
１３ａ  給油穴１３ａ
１４  給油ホース
１５  給油調整手段
１８  給油用ローラ
１８ａ  弾性部材
【図１】
2006290485.tif 000003
【図２】
2006290485.tif 000004
【図３】
2006290485.tif 000005
【図４】
2006290485.tif 000006
【図５】
2006290485.tif 000007
【図６】
2006290485.tif 000008
【図７】
2006290485.tif 000009
【図８】
2006290485.tif 000010
【図９】
2006290485.tif 000011
【図１０】
2006290485.tif 000012
【図１１】
2006290485.tif 000013
【図１２】
2006290485.tif 000014